(57)【要約】【課題】現認証方式と新認証方式を搭載した構成において、セキュリティの脆弱性が高まった場合に新認証方式から現認証方式に切替えて認証方式のセキュリティを確実に高めることができる車載器を提供する。【解決手段】ＥＴＣ車載器は、現認証方式の有効期限が超過した場合は（Ｓ７：ＹＥＳ）猶予期間を設定し（Ｓ９）、その猶予期間においては現認証方式でＥＴＣカードと相互認証を行い（Ｓ５：ＹＥＳ、Ｓ１２：ＮＯ、Ｓ４）、猶予期間が終了した場合は（Ｓ１２：ＹＥＳ）、新認証方式に設定してＥＴＣカードと新認証方式で相互認証を行う（Ｓ１３、Ｓ４）。これにより、新認証方式に短期間で切替えることができるので、ＥＴＣカードの認証方式のセキュリティを確実に高めることができる。【選択図】図２
2015201007.tif 000002
【特許請求の範囲】
【請求項１】
認証方式を設定する認証方式設定手段（１１１）と、
ＩＣカード（３００，３００Ａ）と認証開始した場合に前記認証方式設定手段に現在の認証方式（以下、現認証方式）が設定されているときは、前記ＩＣカードと現認証方式で相互認証する認証手段（１１２）と、
現認証方式の有効期限が超過したときは、猶予期間を設定する猶予期間設定手段（１１３）と、を備え、
前記認証方式設定手段は、前記猶予期間が終了した場合は新しい認証方式（以下、新認証方式）を設定し、
前記認証手段は、前記猶予期間は現認証方式で前記ＩＣカードと相互認証し、前記認証方式設定手段に新認証方式が設定された場合は新認証方式で前記ＩＣカードと相互認証することを特徴とする車載器。
【請求項２】
現認証方式の有効期限を路側機（２００）から通知されることで取得する有効期限取得手段（１０３）を備えたことを特徴とする請求項１記載の車載器。
【請求項３】
前記有効期限取得手段が取得した現認証方式の有効期限をユーザに通知する通知手段（１０７，１０８）を備えたことを特徴とする請求項１または２記載の車載器。
【請求項４】
前記通知手段は、前記猶予期間が終了したときは新認証方式に切替える旨をユーザに通知することを特徴とする請求項３記載の車載器。
【請求項５】
前記通知手段は、前記認証方式設定手段が新認証方式を設定した場合は、新認証方式を設定した旨をユーザに通知することを特徴とする請求項３または４記載の車載器。
【請求項６】
前記通知手段は、前記認証方式設定手段が新認証方式を設定している場合に前記ＩＣカードが新認証方式に対応していないときは、ＩＣカードの認証方式が無効である旨をユーザに通知することを特徴とする請求項３から５のいずれか一項に記載の車載器。
【請求項７】
前記猶予期間中に前記ＩＣカードが現認証方式のみに対応していた場合は、路側システムとの通信時に前記ＩＣカードが現認証方式にしか対応していないことを通知することにより新認証方式の前記ＩＣカードを要求する要求手段（１０３）を備えたことを特徴とする請求項１から６のいずれか一項に記載の車載器。
【発明の詳細な説明】
【技術分野】
【０００１】
本発明は、ＩＣカードの認証方式として現在の認証方式と新しい認証方式とを備えた車載器に関する。
【背景技術】
【０００２】
ＥＴＣ（Electronic Toll Collection System。登録商標）車載器はＥＴＣカードの認証で個人情報（料金の決済情報、高速道路で通過した入口／出口の情報、車両の情報など）を扱うため、ユーザはセキュリティへの関心が非常に高い。今後、現在の認証方式（以下、現認証方式）よりセキュリティの高い新しい認証方式（以下、新認証方式）を導入することが予定されている場合には、ユーザのＥＴＣカード交換の負担を考え、現認証方式に加えて新認証方式にも対応したＥＴＣ車載器を提供する必要がある。
【先行技術文献】
【特許文献】
【０００３】
【特許文献１】特願２０１３−１０７１２０号
【発明の概要】
【発明が解決しようとする課題】
【０００４】
ところで、ＥＴＣ車載器に現認証方式と新認証方式の両方の認証方式を搭載した場合、セキュリティの低い現認証方式が破られた場合には現認証方式で認証されてしまうので、現認証方式が破られた場合は、ＥＴＣ車載器にセキュリティホールが発生し、個人情報の流出、決済情報の改竄等が行われる危険性が高くなる。
【０００５】
また、ＥＴＣ車載器に現認証方式の脆弱性が高くなった情報を与える手段はなく、ユーザはそれを認知できないことから、新認証方式に切替えることができない。
本出願人が先に出願した特許文献１では、上記課題に対し、「現認証方式のセキュリティの脆弱時に自動的に現認証方式を無効にする、またはユーザ選択による手動選択機能を持つこと」による、セキュリティの脆弱化を防止する方法を提案している。
【０００６】
しかしながら、特許文献１の発明では、現認証方式の有効期限が超過した場合、新認証方式に移行するかどうかはあくまでもユーザの選択に委ねており、ユーザが現認証方式を選択し続ければ、セキュリティの脆弱性が高い状態が継続するという問題があった。
【０００７】
本発明は上記事情に鑑みてなされたもので、その目的は、現認証方式と新認証方式を搭載した構成において、セキュリティの脆弱性が高まった場合に新認証方式から現認証方式に切替えて認証方式のセキュリティを確実に高めることができる車載器を提供することにある。
【課題を解決するための手段】
【０００８】
請求項１の発明によれば、車載器は、認証方式のセキュリティの脆弱性が高くなった場合は、路側機から現認証方式の有効期限が通知されるので、その有効期限が終了した場合は猶予期間を設定し、その猶予期間においては、現認証方式での認証を許可するので、ユーザは現認証方式のＩＣカードを使用することができる。ユーザは、この猶予期間に新認証方式に対応したＩＣカードを取得する必要がある。そして、車載器は、猶予期間が終了した場合は、新認証方式を設定するので、新認証方式に強制的に切替えることができる。これにより、ＩＣカードの認証方式のセキュリティを確実に高めることができる。
【図面の簡単な説明】
【０００９】
【図１】一実施形態におけるＥＴＣ車載器及びＥＴＣカードの電気的構成を示す機能ブロック図
【図２】ＥＴＣ車載器によるＥＴＣカード認証処理を示すフローチャート
【図３】新認証方式に対応したＥＴＣカードをユーザに送付する手順を示す図
【発明を実施するための形態】
【００１０】
以下、本発明をＥＴＣ車載器に適用した一実施形態について図面を参照して説明する。尚、本実施形態のＥＴＣ車載器は、ＥＴＣカードを認証する際の認証方式が現認証方式から新認証方式へ切替えが予定されている期間に販売されたものとする。つまり、ＥＴＣ車載器１００は、現認証方式に対応しながら新認証方式にも対応する必要から両方の認証方式に対応するように構成されている。また、ＥＴＣカードは、認証方式が現認証方式のみの場合（新認証方式が予定される以前）にユーザがカード発行会社から取得したものとする。さらに、現認証方式の有効期限は未定であり、後述するようにＥＴＣシステム（路側システム）から通知されるものとする。現認証方式とは、現在のＥＴＣセキュリティ標準規格による認証方式である。新認証方式とは、改正予定の新しいＥＴＣセキュリティ標準規格による認証方式である。
【００１１】
図１に示すように、ＥＴＣ車載器１００（車載器に相当）は、アンテナ１０１に接続された無線部１０２、全体制御部１０３（有効期限取得手段、要求手段に相当）、当該全体制御部１０３と接続されたＩＣカード制御部１０４、外部機器接続部１０５、記憶部１０６、表示部１０７（通知手段に相当）、スピーカ１０８（通知手段に相当）、入力操作部１０９を主体として構成されている。さらに、本発明に関連した構成として、ＩＣカード制御部１０４と接続されたＩＣカードコネクタ１１０、セキュリティ方式記憶部１１１（認証方式設定手段に相当）、セキュリティ機能部１１２（認証手段に相当）、セキュリティ有効期限記憶部１１３（猶予期間設定手段に相当）、セキュリティ有効期限通知管理部１１４、電源部１１５を備えている。
【００１２】
アンテナ１０１は、ＥＴＣゲートに設置された路側機２００との間で例えばＤＳＲＣ（Dedicated Short Range Communication：狭域通信）により無線通信を行うためのものである。無線部１０２は、アンテナ１０１の受信信号を信号処理して全体制御部１０３に出力したり、全体制御部１０３からの送信データを信号処理して送信信号に変換し、路側機２００へアンテナ１０１を介して送信したりするためのものである。
【００１３】
全体制御部１０３は、無線部１０２を通じて路側機２００と無線通信を行い、料金課金の際に必要となる情報の送受信を行う。この全体制御部１０３は、ＣＰＵ、ＲＯＭ、ＲＡＭ、Ｉ／Ｏ及びこれらを接続するバスライン等から構成されるコンピュータ手段であり、ＥＴＣ車載器１００で行われる通信や情報取得等の処理を行ったり、課金処理を行ったりする。このとき、課金処理による課金情報はＩＣカード制御部１０４を介してＥＴＣカード３００（ＩＣカードに相当）に書込み処理が行われると共に、必要に応じて記憶部１０６にも書込み処理が行われるようになっている。
【００１４】
ＩＣカード制御部１０４は、ＥＴＣシステムを利用する際に必要となるＥＴＣカード３００がＩＣカードコネクタ１１０に挿入された状態で、路側機２００との間で必要な情報の送受信処理を行うものである。
【００１５】
セキュリティ方式記憶部１１１は、現在設定されている認証方式が記憶されるもので、ＥＴＣ車載器１００の販売時点（ＥＴＣ車載器１００が標準品或いはオプションの場合は車両の販売時点）では現認証方式が記憶されている。
【００１６】
セキュリティ機能部１１２は現認証方式処理部１１２ａと新認証方式処理部１１２ｂを備えており、ＩＣカードコネクタ１１０に挿入されたＥＴＣカード３００をセキュリティ方式記憶部１１１に記憶されている認証方式で認証する。セキュリティ有効期限記憶部１１３は、ＥＴＣシステムから通知された現認証方式の有効期限が記憶される。セキュリティ有効期限通知管理部１１４は、ユーザに対してＥＴＣカード３００の有効期限を表示部１０７或いはスピーカ１０８から通知する。
【００１７】
記憶部１０６は、ＥＥＰＲＯＭやフラッシュメモリ等の不揮発性メモリからなり、セットアップ時にセットアップ情報が書込まれると共に、通常運用時にはＥＴＣ車載器１００の設定情報やユーザの設定情報などの必要な情報、ＥＴＣの利用履歴情報等のＥＴＣ利用に必要な情報が記憶される。
【００１８】
表示部１０７は周知のＬＣＤ（Liquid Crystal Display）やＬＥＤ（Light Emitting Diode）等によって構成され、課金情報や設定情報などが表示される表示装置である。スピーカ１０８は、音声により情報の報知を行うものである。電源部１１５は、イグニッションスイッチのＡＣＣスイッチのオン状態で電源としての車両用バッテリ１８から給電される。
【００１９】
外部機器接続部１０５は、例えば車内ＬＡＮ（Local Area Network）の通信インターフェース回路を含み、ナビゲーションシステムなどの外部機器とのデータの送受信を行う。
路側機２００は、アンテナ２０１、無線部２０２、制御部２０３を備えており、ＥＴＣ車載器１００から送信された情報に基づいて所定の認証手続きを完了したときは、ＥＴＣゲートを開放して車両の通過を許可する。路側機２００は、ＥＴＣシステムを管理している道路事業者センタのサーバ４００（図３参照）に接続している。
【００２０】
ＥＴＣカード３００は、ＣＰＵを主体とする制御部３０１、記憶部３０２、セキュリティ機能部３０３を備えている。記憶部３０２にはセットアップ時にセットアップ情報が記憶される。セットアップ情報としては、ナンバープレート情報（自動車検査証に記載されている自動車登録番号及び車両番号）、車検証（自動車検査証）情報(車両のサイズ、重量等)等である。
【００２１】
ＥＴＣカード３００は、セキュリティの確保のため、ＥＴＣ車載器１００とＥＴＣカード３００との間で互いに正規の相手であることを確認する相互認証を経なければ、ＥＴＣカード３００内に記録された個人情報のデータへのアクセス（読出しや書込み）を許可しないようになっており、相互認証の手段としてセキュリティ機能部３０３が設けられている。ユーザがカード発行会社からＥＴＣカード３００を取得した時点では認証方式は現認証方式のみであることから、ＥＴＣカード３００のセキュリティ機能部３０３には現認証方式処理部３０３ａのみが備えられている。
【００２２】
ところで、ＥＴＣ車載器１００の販売時点では現認証方式から新認証方式に将来移行することが予定されている場合、新認証方式に対応するには、ＥＴＣ車載器１００及びＥＴＣカードの両方が新認証方式に対応することが必要である。新認証方式に対応したＥＴＣ車載器１００であってもＥＴＣカードが新認証方式に対応していなければ、新認証方式でＥＴＣカードを認証することはできない。このため、一般的にＥＴＣカードの交換周期が５〜７年程度であることを考慮すると、ＥＴＣ車載器１００が新認証方式であってもＥＴＣカードが現認証方式にのみ対応したものである場合には、新認証方式への移行がカード要因で時間が掛かる場合が想定される。
【００２３】
このような事情から、本実施形態では、ＥＴＣ車載器１００は、新認証方式への移行を短期間で行うようにした。
即ち、ユーザによりＥＴＣカード３００がＥＴＣ車載器１００のカードスロットに挿入されると、ＥＴＣ車載器１００は、ＩＣカード制御部１０４を介してＥＴＣカード３００の活性化処理を開始する。活性化処理では、ＥＴＣカード３００に対して、電源供給を行うと共にリセットを解除することにより活性化する。
【００２４】
次に、挿入されたＩＣカードがＥＴＣカード３００であることを認識すると、ＥＴＣカード３００との相互認証処理を開始する。
ＥＴＣ車載器１００は、ＥＴＣカード３００の認証を開始すると、図２に示すように、ＥＴＣカード３００の認証方式をセキュリティ方式記憶部１１１から読取り（Ｓ１）、新認証方式が設定済かを判定する（Ｓ２）。セキュリティ方式記憶部１１１には現認証方式が記憶されているので（Ｓ２：ＮＯ）、猶予期間フラグは１かを判定する（Ｓ５）。この猶予期間フラグは、後述するように現認証方式の有効期限が超過した場合に現認証方式でも認証可能となる期間であることを示すフラグである。この場合、猶予期間フラグは０であると共に（Ｓ５：ＮＯ）、現認証方式の有効期限を路側機２００から取得済でないことから（Ｓ６：ＮＯ）、現認証方式でＥＴＣカード３００と相互認証する（Ｓ４）。
【００２５】
ＥＴＣ車載器１００は、以上のようにしてＥＴＣカード３００との相互認証を正常に行うと、ＥＴＣカード３００内に記録されている個人情報を読出してＥＴＣシステムに通知することが可能な状態となる。
【００２６】
さて、現認証方式のセキュリティの脆弱性が高くなり、セキュリティが破られる可能性が高くなった場合は、ＥＴＣ車載器１００にセキュリティホールが発生し、個人情報の流出、決済情報の改竄等が行われる危険性が高くなることから、現認証方式から新認証方式に短期間で切替える必要がある。このような場合、道路事業者センタのサーバ４００は、車両がＥＴＣゲートを通過する際に路側機２００からＥＴＣ車載器１００に対して現認証方式の有効期限（例えば３カ月後）を通知する。この有効期限は全てのＥＴＣ車載器１００に対して同一の期限である。
【００２７】
ＥＴＣ車載器１００は、現認証方式の有効期限をＥＴＣシステムから受信した場合は、その有効期限をセキュリティ有効期限記憶部１１３に記憶する。
以上のようにして現認証方式の有効期限がＥＴＣ車載器１００に記憶された状態で、ユーザがＥＴＣカード３００をＥＴＣ車載器１００に挿入することによりＥＴＣカード３００の認証が開始されると、現認証方式の有効期限を路側機２００から取得済で（Ｓ６：ＹＥＳ）、現認証方式の有効期限内であることから（Ｓ７：ＮＯ）、ユーザに対して現認証方式の有効期限をスピーカ１０８から発話したり、表示部１０７に表示したりして通知してから（Ｓ１１）、現認証方式でＥＴＣカード３００と相互認証する（Ｓ４）。これにより、ユーザは、ＥＴＣカード３００をＥＴＣ車載器１００に挿入する毎に現認証方式の有効期限を確認することができる。これにより、ユーザは、カード発行会社に対して新認証方式に対応したＥＴＣカードを送付することを要求するようになる。
【００２８】
ＥＴＣ車載器１００は、現認証方式の有効期限を超過すると（Ｓ７：ＹＥＳ）、残りｘｘ日で自動的に新認証方式に切替る旨をスピーカ１０８から発話したり、表示部１０７に表示したりすることで通知し（Ｓ８）、現認証方式の有効期限を延長した猶予期間（例えば１カ月）を設定してから（Ｓ９）、猶予期間フラグを１にセットする（Ｓ８）。これにより、新認証方式に対応したＥＴＣカードを取得していないユーザは、カード発行会社に対して新認証方式に対応したＥＴＣカードを送付することを要求するようになる。
【００２９】
ＥＴＣ車載器１００は、猶予期間フラグが１にセットされた状態では（Ｓ５：ＹＥＳ）、猶予期間の期限が切れていないことを確認してから（Ｓ１２：ＮＯ）、ＥＴＣカード３００と現認証方式で相互認証する。
【００３０】
さて、ＥＴＣ車載器１００は、猶予期間中は新認証方式でＥＴＣカード３００と相互認証を行うが、ＥＴＣカード３００の要因により新認証方式で相互認証できない状態である。上述したように新認証方式へ自動的に切替ることがＥＴＣ車載器１００から通知されることで多くのユーザは自発的にカード発行会社に新認証方式に対応したＥＴＣカードを送付することを要求するようになるが、ユーザによっては、ＥＴＣ車載器１００からの通知を無視することも考えられる。そこで、図３に示すようにユーザに対して新認証方式に対応したＥＴＣカードをカード発行会社から自動的に送付するようにした。
【００３１】
（１）ＥＴＣ車載器１００がＥＴＣシステムと通信すると、ＥＴＣカードが現認証方式に対応していないことをＥＴＣシステムに通知する。
（２）ＥＴＣシステムは、道路事業者センタのサーバ４００に対して、ユーザが使用しているＥＴＣカードが現認証方式にしか対応していないことを通知する。
（３）道路事業者は、カード発行会社に上記ユーザに対して新認証方式のＥＴＣカードを発行することを要求する。
（４）カード発行会社は、ユーザに新認証方式に対応したＥＴＣカードを送付する。
（５）ユーザは、現認証方式のＥＴＣカードに代えて新認証方式に対応したＥＴＣカードを使用する。
以上のようにして、ＥＴＣカードをセキュリティが高い新認証方式に変更することができる。
【００３２】
図１に示すように、新認証方式に対応したＥＴＣカード３００Ａのセキュリティ機能部３０３は、現認証方式処理部３０３ａに加えて新認証方式処理部３０３ｂを備えて構成されている。
【００３３】
上述のようにしてカード発行会社から新認証方式に対応したＥＴＣカード３００Ａを取得したユーザが当該ＥＴＣカード３００ＡをＥＴＣ車載器１００に挿入すると、ＥＴＣ車載器１００は、依然として現認証方式が設定されていることから（Ｓ２：ＮＯ）、現認証方式で相互認証を行う（Ｓ４）。この場合、新認証方式に対応したＥＴＣカード３００Ａは現認証方式にも対応していることから、現認証方式による相互認証を支障なく行うことができる。
【００３４】
ＥＴＣ車載器１００は、猶予期間の期限が切れた場合は（Ｓ１２：ＹＥＳ）、セキュリティ方式記憶部１１１に新認証方式を設定（記憶）することにより（Ｓ１３）、現認証方式を無効化し（Ｓ１４）、新認証方式に設定した旨をユーザに通知してから（Ｓ１５）、猶予期間フラグを０とする（Ｓ１６）。
【００３５】
上述のようにして新認証方式の設定後に、ユーザが新認証方式に対応したＥＴＣカード３００ＡをＥＴＣ車載器１００に挿入すると、ＥＴＣ車載器１００は、新認証方式に設定済であり（Ｓ２：ＹＥＳ）、ＥＴＣカード３００Ａは新認証方式に対応していることから（Ｓ３：ＹＥＳ）、ＥＴＣカード３００Ａと新認証方式で相互認証を行うようになる（Ｓ４）。
【００３６】
一方、新認証方式の設定後にユーザが現認証方式のみに対応したＥＴＣカード３００をＥＴＣ車載器１００に挿入した場合は、ＥＴＣカード３００が新認証方式に対応していないことから（Ｓ３：ＮＯ）、ＥＴＣカード３００の認証が無効である旨をユーザに通知する（Ｓ１７）。
【００３７】
尚、猶予期間を超過してから販売されるＥＴＣ車載器１００であっても、現認証方式のみに対応したＥＴＣカード３００が挿入される可能性があることから、現認証方式と新認証方式の両方の認証方式に対応する必要がある。また、猶予期間を超過してから発行されるＥＴＣカードであっても、新認証方式に対応していないＥＴＣ車載器１００に挿入される可能性があることから、現認証方式と新認証方式の両方の認証方式に対応する必要がある。
【００３８】
このような実施形態によれば、次のような効果を奏することができる。
ＥＴＣ車載器１００は、現認証方式の有効期限が超過した場合は猶予期間を設定し、その猶予期間においては現認証方式でＥＴＣカード３００，３００Ａと相互認証を行い、猶予期間が終了した場合は新認証方式を設定してＥＴＣカード３００Ａと新認証方式で相互認証を行うことにより、新認証方式に短期間で切替えるようにしたので、ＥＴＣカードの認証方式のセキュリティを確実に高めることができる。
【００３９】
現認証方式の有効期限をＥＴＣシステムから取得するようにしたので、認証方式のセキュリティの脆弱性が高くなった時点で認証方式を適切に切替えることができる。
現認証方式の有効期限をユーザに通知するようにしたので、ユーザに対して有効期限を意識させることができる。
【００４０】
猶予期間が終了したときは新認証方式に切替える旨をユーザに通知するようにしたので、ユーザに対して新認証方式に対応したＥＴＣカードをカード発行会社に要求することを促すことができる。
【００４１】
新認証方式を設定した場合は、新認証方式を設定した旨をユーザに通知するようにしたので、ユーザは新認証方式に切替えられたことを確実に認識することができる。
新認証方式を設定している場合にＥＴＣカード３００が新認証方式に対応していないときは、ＥＴＣカード３００の認証方式が無効である旨をユーザに通知するようにしたので、ＥＴＣカード３００の無効理由をユーザが理解することができる。
【００４２】
猶予期間中にＥＴＣカード３００が現認証方式のみに対応していた場合は、路側機２００との通信時にＥＴＣカード３００が現認証方式にしか対応していないことを通知することによりカード発行会社に対して新認証方式のＥＴＣカード３００をユーザに送付することを要求するようにしたので、ユーザがＥＴＣ車載器１００から通知される各種メッセージを無視した場合であっても、ユーザは新認証方式のＥＴＣカード３００Ａを確実に取得して使用することができる。
【００４３】
（その他の実施形態）
本発明は、上記実施形態に限定されることなく、次のように変形または拡張したり、各変形例を上記実施形態と組合せたり、各変形例を組合せるようにしてもよい。
現認証方式の有効期限をＥＴＣシステムから取得するようにしたが、ＥＴＣ車載器１００に有効期限を予め登録するようにしてもよい。
ユーザに各種メッセージを通知するタイミングは、ＥＴＣカードの認証開始時のみに限定されることなく、ＥＴＣカードが抜かれるタイミング、或いはＥＴＣカードの挿入状態で一定時間毎に通知するようにしてもよい。
【００４４】
猶予期間中におけるＥＴＣシステムとの通信時に現認証方式のみに対応したＥＴＣカード３００が存在することを通知し、それに応じて道路事業者がカード発行会社に対して新認証方式に対応したＥＴＣカードを発行することを要求したが、道路事業者は、現認証方式の有効期限が切れた時点で現認証方式のみに対応したＥＴＣカード３００のみを有するユーザに対して新認証方式に対応したＥＴＣカード３００を送付することをカード発行会社に要求するようにしてもよい。
【００４５】
新認証方式は１種類のみとしたが、新認証方式をさらに改良したＥＴＣセキュリティ標準規格による認証方式が予定されている場合は、２種類以上の新認証方式に対応するように構成してもよい。
【符号の説明】
【００４６】
図面中、１００はＥＴＣ車載器（車載器）、１０３は全体制御部（有効期限取得手段、要求手段）、１０７は表示部（通知手段）、１０８はスピーカ（通知手段）、１１１はセキュリティ方式記憶部（認証方式設定手段）、１１２はセキュリティ機能部（認証手段）、１１３はセキュリティ有効期限記憶部（猶予期間設定手段）、２００は路側機、３００，３００ＡはＥＴＣカード（ＩＣカード）である。
【図１】
2015201007.tif 000003
【図２】
2015201007.tif 000004
【図３】
2015201007.tif 000005